【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を前面に備える遊技板と、
前記遊技板の前面から突出し、前記遊離領域を包囲する包囲壁と、
前記遊技領域を流下する遊技球を受け入れて、遊技者に特典を付与する入賞口と、
前記遊技領域を流下する遊技球を受け入れて、遊技者に特典を付与しないアウト口と、を有する遊技機において、
前記遊技板の最下部近傍に配置された第１の前記アウト口と、
前記第１のアウト口より上側で前記包囲壁の内側に隣接配置される隣接突部と、
前記隣接突部の上部に設けられて横方向に延び、一端部が前記包囲壁に隣接し、他端部に向かって下るように傾斜して、前記包囲壁沿いに流下してくる遊技球を前記遊技領域の横方向中央側に案内するガイド傾斜面と、
前記隣接突部に設けられ、前記ガイド傾斜面から延長した架空の延長面より下方に位置しかつ、前記入賞口と第２の前記アウト口とを有する特別入球部と、を備えることを特徴とする遊技機。
【手続補正２】
【補正対象書類名】明細書
【補正対象項目名】０００４
【補正方法】変更
【補正の内容】
【０００４】
しかしながら、上記した従来の遊技機は、アウト口に入球する遊技球の動作のバリエーションが乏しく、趣向性の向上が求められていた。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
上記目的を達成するためになされた請求項１の発明は、遊技球が流下可能な遊技領域を前面に備える遊技板と、前記遊技板の前面から突出し、前記遊離領域を包囲する包囲壁と、前記遊技領域を流下する遊技球を受け入れて、遊技者に特典を付与する入賞口と、前記遊技領域を流下する遊技球を受け入れて、遊技者に特典を付与しないアウト口と、を有する遊技機において、前記遊技板の最下部近傍に配置された第１の前記アウト口と、前記第１のアウト口より上側で前記包囲壁の内側に隣接配置される隣接突部と、前記隣接突部の上部に設けられて横方向に延び、一端部が前記包囲壁に隣接し、他端部に向かって下るように傾斜して、前記包囲壁沿いに流下してくる遊技球を前記遊技領域の横方向中央側に案内するガイド傾斜面と、前記隣接突部に設けられ、前記ガイド傾斜面から延長した架空の延長面より下方に位置しかつ、前記入賞口と第２の前記アウト口とを有する特別入球部と、を備えることを特徴とする遊技機である。
【手続補正５】
【補正対象書類名】明細書
【補正対象項目名】０００７
【補正方法】変更
【補正の内容】
【０００７】
本発明の遊技機によれば、趣向性の向上を図ることが可能となる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００７７
【補正方法】変更
【補正の内容】
【００７７】
（５）前記実施形態では、左サイド役物５０を遊技領域Ｒ１の下部の左側に設けられていたが、遊技領域Ｒ１の上下方向の中間部に設けられていてもよい。
なお、上記実施形態及び他の実施形態には、以下の特徴が含まれている。
［特徴１］
遊技球が流下可能な遊技領域を前面に備えた遊技板と、
前記遊技板の前面から突出し、前記遊技領域を包囲する領域包囲壁と、
前記領域包囲壁の左上部に形成され、遊技球を前記遊技領域に進入させるための進入口と、
前記領域包囲壁の左側の内側面に隣接配置されて、前記領域包囲壁伝いに流下してくる遊技球がそのまま最下部まで流下することを禁止するサイド役物突部と、
前記サイド役物突部の側面に開口し、前記遊技領域を流下する遊技球を受け入れて前記遊技者に特典を付与するサイド入賞口とを備え、
前記領域包囲壁のうち前記進入口に位置する端部を進入端部とし、
前記サイド入賞口の開口縁のうち前記進入端部から離れた側の第１開口縁に連なりかつその第１開口縁より上方に位置しかつ遊技球の直径以上の空隙を有しない第１拡張部材を備えている場合には、その第１拡張部材のうち前記第１開口縁から最も離れた端部を第１特別端部とする一方、前記第１拡張部材を備えていない場合には、前記第１開口縁を第１特別端部とし、
前記進入端部と前記第１特別端部とを結ぶ線分を領域境界線分とすると、
前記遊技領域のうち前記領域境界線分と前記領域包囲壁と前記サイド役物突部とに囲まれた特別領域に臨んで開口し、前記特別領域を流下する遊技球を受け入れて前記遊技者に特典は付与しないサイドアウト口を、前記サイド役物突部の側面に備えたことを特徴とする遊技機。
このような遊技機では、遊技領域を包囲する領域包囲壁のうち最下部から離れた左側の内側面に隣接配置されたサイド役物突部により、領域包囲壁伝いに流下してくる遊技球がそのまま最下部まで流下することが禁止される。そして、アウト口として、遊技領域の最下部近傍のアウト口以外に、サイド役物突部にサイドアウト口が設けられているので、遊技球が遊技領域の最下端部に到達する前に球詰まりする可能性を抑制しながらサイド入賞口を有するサイド役物突部を効率よく配置することが可能となる。また、遊技球が遊技領域の最下端部に到達する前に、突然、サイドアウト口に入球して遊技領域から消えるという動作が加わり、アウト口に入球する遊技球の動作のバリエーションが従来より多くなる。しかも、サイド役物突部には、サイド入賞口も設けられているので、サイドアウト口に入球しそうになった遊技球がサイド入賞口に入賞して特典を得られることもあり、緊張感と安堵感とを遊技者に付与して趣向性が高い遊技を楽しむことができる。
［特徴２］
前記サイド入賞口の開口縁のうち前記進入端部に近い側の第２開口縁に連なりかつ前記サイドアウト口における前記サイド入賞口側の開口縁より上方に位置しかつ遊技球の直径以上の空隙を有しない第２拡張部材を備えている場合には、その第２拡張部材のうち前記第２開口縁から最も離れた端部を第２特別端部とし、前記第２拡張部材を備えていない場合には、前記サイドアウト口における前記サイド入賞口側の開口縁を第２特別端部とすると、
前記第２特別端部と前記第１特別端部とを結ぶ入賞境界線分は、１３ｍｍ以下であることを特徴とする特徴１に記載の遊技機。
［特徴３］
前記サイド入賞口の開口部と前記サイドアウト口の開口部とがＶ字或いはＵ字の２辺に沿うように配置されていることを特徴とする特徴１又は２に記載の遊技機。
［特徴４］
前記サイド入賞口の開口部と前記サイドアウト口の開口部とが、逆Ｖ字或いは逆Ｕ字の２辺に沿うように配置されていることを特徴とする特徴１又は２に記載の遊技機。
［特徴５］
前記サイド入賞口の開口部と前記サイドアウト口の開口部とが平行又は面一に配置されていることを特徴とする特徴１又は２に記載の遊技機。
［特徴６］
前記サイド入賞口の開口縁のうち前記進入端部に近い側の第２開口縁に連なりかつ前記サイドアウト口における前記サイド入賞口側の開口縁より上方に位置しかつ遊技球の直径以上の空隙を有しない第２拡張部材を備えている場合には、その第２拡張部材のうち前記第２開口縁から最も離れた端部を第２特別端部とし、前記第２拡張部材を備えていない場合には、前記サイドアウト口における前記サイド入賞口側の開口縁を第２特別端部とすると、
前記第２特別端部と前記第１特別端部とを結ぶ入賞境界線分は、５５ｍｍを超え、１３５ｍｍ以下であると共に、前記サイド入賞口を開閉する開閉扉を備えていることを特徴とする特徴１に記載の遊技機。
この構成によれば、サイド入賞口を、パチンコ遊技機における所謂、大入賞口として利用することが可能となる。
［特徴７］
前記サイドアウト口及び前記サイド入賞口は、前記サイド役物突部の側面に開口しかつ隣り合わせに配置されていることを特徴とする特徴１乃至６の何れか１に記載の遊技機。
［特徴８］
前記サイド役物突部の側面には、
前記サイド役物突部の上端に位置して、横方向の一端が前記領域包囲壁に隣接し、他端に向かって下るように傾斜した上端傾斜部と、
前記上端傾斜部の前記他端の隣で湾曲して前記上端傾斜部より下方に位置する側面湾曲部とが備えられ、
前記側面湾曲部に前記サイドアウト口及び前記サイド入賞口が配置されていることを特徴とする特徴１乃至７の何れか１に記載の遊技機。
この構成によれば、サイド役物突部の上端傾斜部を遊技球が転動すると、サイドアウト口及びサイド入賞口に入球し易くなり、上端傾斜部からサイドアウト口又はサイド入賞口に遊技球が入球する動作を楽しむことが可能となる。また、遊技球がサイドアウト口とサイド入賞口との何れかに入球するかが直前まで分からず、趣向性が高まる。
［特徴９］
前記遊技板の前面から起立した複数の釘を、前記側面湾曲部の上方でかつ前記上端傾斜部の斜め下方となる位置から前記遊技領域の横方向中央側に向かって下るように並べてなる延長釘道と、
前記延長釘道を構成する釘同士又は前記釘と前記上端傾斜部とが遊技球１個以上、１．５個未満の大きさで離間してなる転落部と、が備えられ、
前記拡張部材の少なくとも一部が前記延長釘道の少なくとも一部によって構成されていることを特徴とする特徴８に記載の遊技機。
この構成によれば、遊技球が延長釘道の転落部から落下してサイドアウト口に入球するか、延長釘道を終端まで転動して中央アウト口に入球する場合があり、アウト口に入球する遊技球の動作のバリエーションを増やすことが可能となる。
［特徴１０］
前記サイドアウト口は、前記転落部の真下となる位置より前記遊技領域の横方向中央から離れる側に配置される一方、前記サイド入賞口は、前記転落部の真下となる位置より前記遊技領域の横方向中央側に配置されていることを特徴とする特徴９に記載の遊技機。
この構成により、転落部から真下に落下した遊技球が、サイドアウト口かサイド入賞口かにランダムに分かれて入球し、趣向性を高めることが可能となる。
［特徴１１］
前記側面湾曲部内への遊技球の流入部が、前記転落部を除いて前記延長釘道により閉塞されていることを特徴とする特徴９又は１０に記載の遊技機。
この構成により、転落部から転落した遊技球は、サイドアウト口かサイド入賞口かの何れかに必ず入球することが可能となる。
［特徴１２］
前記延長釘道は、前記サイド役物突部より前記遊技領域の横方向中央側に延ばされると共に、前記サイド役物突部から離れた位置にも前記転落部が備えられていることを特徴とする特徴９乃至１１の何れか１に記載の遊技機。
この構成によれば、遊技領域の下部中央側に向かう遊技球の動作のバリエーションを増やすことが可能となる。
［特徴１３］
前記サイド役物突部より前記遊技領域の横方向中央側に離れた位置に前記遊技板の前面から突出した役物突部を設け、前記役物突部の側面における一部に前記サイド役物突部側の斜め上方を向いて開口した前記入賞口としての中間入賞口が備えられたことを特徴とする特徴１２に記載の遊技機。
この構成によれば、サイド役物突部から離れた位置の転落部から転落した遊技球が、中間入賞口に入賞することが可能となる。
［特徴１４］
前記中間入賞口は前記延長釘道の下方となる位置に設けられたことを特徴とする特徴１３に記載の遊技機。
［特徴１５］
前記中間入賞口は、前記役物突部の側面の他の部分が、前記延長釘道上の遊技球の転動面の一部に組み込まれている特徴１３又は１４に記載の遊技機。
この構成によれば、役物突部の有効利用を図ることが可能となる。
［特徴１６］
前記遊技領域には、前記遊技板の前面から突出した釘と、前記釘を遊技球の直径以上の空隙を空けずに複数並べてなる釘壁とが複数備えられ、前記第１拡張部材の少なくとも一部が前記釘又は前記釘壁で構成されている特徴１乃至１５の何れか１に記載の遊技機。
この構成では、釘又は釘壁によってサイド入賞口の実質的な開口幅を特定することが可能となる。